(57)【要約】【課題】タッチ信号の持続時間またはタッチディスプレイパネルが押圧された接触面積に基づいて、制御指令を実行するかどうかを決定する電子装置およびその操作方法を提供する。【解決手段】電子装置は、タッチディスプレイパネルと、パネルタッチ制御ユニットと、画像調整ユニットとを含む。パネルタッチ制御ユニットは、タッチディスプレイパネルに電気接続される。画像調整ユニットは、タッチディスプレイパネルに電気接続される。操作中、タッチディスプレイパネルは、サイズを調整することのできる内容表示領域およびタッチメニュー領域を有する。パネルタッチ制御ユニットは、受信したタッチ信号に基づいて、タッチメニュー領域のサイズを調整する。タッチディスプレイパネルは、接触面積に基づいて、タッチ信号を生成する。画像調整ユニットは、パネルタッチ制御ユニットによって生成された調整信号に基づいて、内容表示領域のサイズを調整する。【選択図】図１
2011248899.tif 000002
【特許請求の範囲】
【請求項１】
サイズが異なる内容表示領域およびタッチメニュー領域を有するタッチディスプレイパネルと、
前記タッチディスプレイパネルに接続され、受信した第１タッチ信号に基づいて第１調整信号を生成して、前記タッチディスプレイパネルの前記タッチメニュー領域の前記サイズを調整するパネルタッチ制御ユニットと、
前記第１調整信号に基づいて、前記タッチディスプレイパネルの前記内容表示領域の前記サイズを調整する画像調整ユニットと、を含む電子装置。
【請求項２】
前記タッチディスプレイパネルが、マルチタッチディスプレイパネルである請求項１記載の電子装置。
【請求項３】
前記パネルタッチ制御ユニットが、受信した第２タッチ信号に基づいて、第２調整信号を生成するとともに、前記第２調整信号に基づいて、前記タッチメニュー領域の前記サイズを調整し、前記画像調整ユニットが、前記第２調整信号に基づいて、前記タッチディスプレイパネルの前記内容表示領域の前記サイズを調整する請求項２記載の電子装置。
【請求項４】
前記パネルタッチ制御ユニットが、前記第１タッチ信号と前記第２タッチ信号を受信した時、前記パネルタッチ制御ユニットが、前記第１調整信号と前記第２調整信号に基づいて、前記タッチディスプレイパネルの前記タッチメニュー領域の前記サイズを調整し、前記画像調整ユニットが、前記第１調整信号と前記第２調整信号に基づいて、前記タッチディスプレイパネルの前記内容表示領域の前記サイズを調整する請求項３記載の電子装置。
【請求項５】
前記第１調整信号と前記第２調整信号に基づいて調整された前記内容表示領域の前記サイズが、前記第１調整信号に基づいて調整された前記内容表示領域の前記サイズと前記第２調整信号に基づいて調整された前記内容表示領域の前記サイズの間の重複する領域、または部分的に重複する領域である請求項４記載の電子装置。
【請求項６】
前記第１調整信号と前記第２調整信号に基づいて調整された前記タッチメニュー領域の前記サイズが、前記第１調整信号に基づいて調整された前記タッチメニュー領域の前記サイズと前記第２調整信号に基づいて調整された前記タッチメニュー領域の前記サイズの間の重複する領域、または部分的に重複する領域である請求項４記載の電子装置。
【請求項７】
前記タッチディスプレイパネルが、画像を表示する表示ユニットと、前記第１タッチ信号を生成するタッチユニットとを含む請求項１記載の電子装置。
【請求項８】
前記パネルタッチ制御ユニットが、前記第１タッチ信号に基づいて、前記タッチメニュー領域の前記サイズを調整するパネルタッチ制御装置を含み、前記第１調整信号が、前記第１タッチ信号の情報を含む請求項１記載の電子装置。
【請求項９】
前記パネルタッチ制御ユニットが、さらに、前記第１タッチ信号の持続時間を計算するタイマーを含み、第１タッチ信号の前記持続時間が所定値よりも大きい時、前記パネルタッチ制御ユニットが、前記第１調整信号を送信し、前記第１タッチ信号の前記持続時間が前記所定値よりも小さい時、前記パネルタッチ制御ユニットが、前記第１タッチ信号に対応する制御指令を実行する請求項１記載の電子装置。
【請求項１０】
前記パネルタッチ制御ユニットが、さらに、前記第１タッチ信号によって前記タッチメニュー領域に生成された接触面積を計算する面積計算モジュールを含み、前記接触面積が所定値よりも大きい時、前記パネルタッチ制御ユニットが、前記第１調整信号を送信し、前記接触面積が前記所定値よりも小さい時、前記パネルタッチ制御ユニットが、前記第１タッチ信号に対応する制御指令を実行する請求項１記載の電子装置。
【請求項１１】
前記画像調整ユニットが、直交座標を用いて、前記第１タッチ信号から前記タッチディスプレイパネルまでの第１距離、第２距離、第３距離および第４距離を計算し、前記第１距離、前記第２距離、前記第３距離および前記第４距離のうち比較的大きな２つの距離を第１変動と第２変動に設定し、前記第１変動と前記第２変動を用いて、前記内容表示領域の前記サイズを調整する請求項１記載の電子装置。
【請求項１２】
前記画像調整ユニットが、プロセッサと、ディスプレイカードとを含む請求項１記載の電子装置。
【請求項１３】
前記パネルタッチ制御ユニットが、さらに、保存ユニットを含む請求項１記載の電子装置。
【請求項１４】
押圧された時に入力信号を生成するロックキーと、
前記ロックキーおよび前記画像調整ユニットに電気接続され、前記入力信号に基づいてロッキング信号を生成する入力制御装置と、を含み、
前記画像調整ユニットが、前記ロッキング信号に基づいて、前記内容表示領域の範囲をロックする請求項１記載の電子装置。
【請求項１５】
前記パネルタッチ制御ユニットおよび前記画像調整ユニットが、さらに、前記内容表示領域内にドラッグリストを生成する請求項１記載の電子装置。
【請求項１６】
前記内容表示領域と前記タッチメニュー領域が、互いに重複しない、または部分的に重複する請求項１記載の電子装置。
【請求項１７】
前記タッチメニュー領域と前記内容表示領域の間の重複する部分にある前記内容表示領域のデータが、透明または半透明のパターンを表示する請求項１６記載の電子装置。
【請求項１８】
前記タッチメニュー領域と前記内容表示領域の間の重複する部分および重複しない部分に生成された前記タッチメニュー領域のタッチ信号が、同時に処理される請求項１６記載の電子装置。
【請求項１９】
前記画像調整ユニットが、さらに、前記タッチメニュー領域と前記内容表示領域の間の重複しない領域に制御メニューを表示し、前記制御メニューが、前記タッチメニュー領域内に配置される請求項１６記載の電子装置。
【請求項２０】
前記制御メニューが、複数のキーまたはドラッグリストを含む請求項１９記載の電子装置。
【請求項２１】
前記制御メニューが、透明または半透明のパターンを表示する請求項１９記載の電子装置。
【請求項２２】
前記内容表示領域および前記タッチメニュー領域が、前記第１調整信号を同時に処理する請求項１記載の電子装置。
【請求項２３】
前記内容表示領域が、データ表示領域の可視領域であり、前記タッチメニュー領域が、タッチされた時に前記電子装置を制御する前記タッチディスプレイパネル上の領域である請求項１記載の電子装置。
【請求項２４】
前記調整された内容表示領域の解析度が、変化する、または変化しない請求項１記載の電子装置。
【請求項２５】
前記内容表示領域の前記解析度が変化しなかった時、前記電子装置上の前記内容表示領域の位置が変化する請求項２４記載の電子装置。
【請求項２６】
調整可能な内容表示領域と、調整可能なタッチメニュー領域とを含むタッチディスプレイパネルを有する電子装置の操作方法であって、
第１タッチ動作によって、第１タッチ信号を生成するステップと、
パネルタッチ制御ユニットを用いて、前記第１タッチ信号を受信するステップと、
前記第１タッチ信号に基づいて、前記パネルタッチ制御ユニットを用いて、第１調整信号を生成して画像調整ユニットに送信するステップと、
前記画像調整ユニットを用いて、前記第１調整信号に基づいて、前記タッチディスプレイパネルの前記内容表示領域の前記サイズを調整するとともに、前記パネルタッチ制御ユニットを用いて、前記第１調整信号に基づいて、前記タッチディスプレイパネルの前記タッチメニュー領域の前記サイズを調整するステップと、を含む操作方法。
【請求項２７】
前記タッチディスプレイパネルが、画像を表示する表示ユニットと、前記第1タッチ信号を生成するタッチユニットとを含む請求項２６記載の操作方法。
【請求項２８】
前記第１調整信号を送信する前記ステップが、
前記パネルタッチ制御ユニットのタイマーを用いて、前記第１タッチ信号の持続時間を計算するステップと、
前記第１タッチ信号の前記持続時間が所定値よりも大きい時、前記パネルタッチ制御ユニットを用いて、前記第１調整信号を送信するステップと、
前記第１タッチ信号の前記持続時間が前記所定値よりも小さい時、前記パネルタッチ制御ユニットを用いて、前記第１タッチ信号に対応する制御指令を実行するステップと、を含む請求項２６記載の操作方法。
【請求項２９】
前記第１調整信号を送信する前記ステップが、
前記パネルタッチ制御ユニットの面積計算モジュールを用いて、前記タッチメニュー領域内に前記第１タッチ信号によって生成された接触面積を計算するステップと、
前記接触面積が所定値よりも大きい時、前記パネルタッチ制御ユニットを用いて、前記第１調整信号を送信するステップと、
前記接触面積が前記所定値よりも小さい時、前記パネルタッチ制御ユニットを用いて、前記第１タッチ信号に対応する制御指令を実行するステップと、を含む請求項２６記載の操作方法。
【請求項３０】
前記画像調整ユニットを用いて、前記第１調整信号に基づいて前記内容表示領域の前記サイズを調整する前記ステップが、
前記画像調整ユニットを用いて、前記第１調整信号を受信するとともに、直交座標を用いて、前記第１タッチ信号から前記タッチディスプレイパネルまでの第１距離、第２距離、第３距離および第４距離を計算するステップと、
前記画像調整ユニットを用いて、前記第１距離、前記第２距離、前記第３距離および前記第４距離のうち比較的大きな２つの距離を第１変動と第２変動に設定するステップと、
前記画像調整ユニットを用いて、前記第１変動と前記第２変動に基づいて、前記内容表示領域の前記サイズを調整するステップと、を含む請求項２６記載の操作方法。
【請求項３１】
前記内容表示領域をロックする前記ステップが、
ロックキーを用いて、入力信号を生成するステップと、
入力制御装置を用いて、前記入力信号に基づいて、ロッキング信号を生成するステップと、
前記画像調整ユニットを用いて、前記ロッキング信号に基づいて、前記内容表示領域の範囲をロックするステップと、を含む請求項２６記載の操作方法。
【請求項３２】
前記内容表示領域と前記タッチメニュー領域が、互いに重複しない、または部分的に重複する請求項２６記載の操作方法。
【請求項３３】
前記タッチメニュー領域と前記内容表示領域の間の重複する領域にある前記内容表示領域のデータが、透明または半透明のパターンを表示する請求項３２記載の操作方法。
【請求項３４】
前記タッチメニュー領域と前記内容表示領域の間の重複する領域および重複しない領域に生成された前記タッチメニュー領域の第１タッチ信号が、同時に処理される請求項３２記載の操作方法。
【請求項３５】
前記画像調整ユニットが、さらに、前記内容表示領域と前記タッチメニュー領域の間の重複しない領域に制御メニューを表示し、前記制御メニューが、前記タッチメニュー領域内に配置される請求項３２記載の操作方法。
【請求項３６】
前記制御メニューが、複数のキーまたはドラッグリストを含む請求項３５記載の電子装置の操作方法。
【請求項３７】
前記制御メニューが、透明または半透明のパターンを表示する請求項３５記載の操作方法。
【請求項３８】
前記タッチディスプレイパネルが、マルチタッチディスプレイパネルであり、第２タッチ動作によって第２タッチ信号を生成し、前記パネルタッチ制御ユニットが、前記第２タッチ信号に基づいて、第２調整信号を生成する請求項２６記載の電子装置の操作方法。
【請求項３９】
前記パネルタッチ制御ユニットが前記第２調整信号を生成した後、前記パネルタッチ制御ユニットが、前記第２調整信号に基づいて、前記タッチディスプレイパネルの前記タッチメニュー領域の前記サイズを調整し、前記画像調整ユニットが、前記第２調整信号に基づいて、前記タッチディスプレイパネルの前記内容表示領域の前記サイズを調整する請求項３８記載の操作方法。
【請求項４０】
前記パネルタッチ制御ユニットが、前記第１タッチ信号と前記第２タッチ信号を受信した時、前記パネルタッチ制御ユニットが、前記第１調整信号と前記第２調整信号に基づいて、前記タッチディスプレイパネルの前記タッチメニュー領域の前記サイズを調整し、前記画像調整ユニットが、前記第１調整信号と前記第２調整信号に基づいて、前記タッチディスプレイパネルの前記内容表示領域の前記サイズを調整する請求項３９記載の操作方法。
【請求項４１】
前記第１調整信号と前記第２調整信号に基づいて調整された前記内容表示領域の前記サイズが、前記第１調整信号に基づいて調整された前記内容表示領域の前記サイズと前記第２調整信号に基づいて調整された前記内容表示領域の前記サイズの間の重複する領域、または部分的に重複する領域である請求項４０記載の操作方法。
【請求項４２】
前記第１調整信号と前記第２調整信号に基づいて調整された前記タッチメニュー領域の前記サイズが、前記第１調整信号に基づいて調整された前記タッチメニュー領域の前記サイズと前記第２調整信号に基づいて調整された前記タッチメニュー領域の前記サイズの間の重複する領域、または部分的に重複する領域である請求項４０記載の操作方法。
【発明の詳細な説明】
【技術分野】
【０００１】
本発明は、電子装置およびその操作方法に関するものであり、特に、タッチディスプレイパネルを有する電子装置およびその操作方法に関するものである。
【背景技術】
【０００２】
電子装置は、軽薄短小化の方向へ発展したことによって、体積が制限されるようになった。電子装置にスクリーンとキーボードを同時に配置する場合、スクリーンのサイズを縮小しなければならない。そこで、限られたスペース内により大きなスクリーンを配置できるようにするため、タッチディスプレイパネルが様々な電子装置に広く応用されるようになった。その理由は、タッチディスプレイパネルは入力と表示の機能を同時に提供することができるため、従来のキーボードを配置するコストとスペースを節約できるからである。
【発明の概要】
【発明が解決しようとする課題】
【０００３】
しかしながら、タッチディスプレイパネルは、外部からのタッチ操作に対して非常に敏感であるため、ユーザーが誤ってタッチディスプレイパネルに触れた時でも、タッチディスプレイパネル上の機能選択を起動させることがある。特に、タッチディスプレイパネルに表示された画像を閲覧している間、ユーザーは、通常、両手で電子装置を保持するが、タッチディスプレイパネル上の機能選択を誤って触れないように、親指をタッチディスプレイパネルの上方または両側に浮かせておかなければならない。しかし、通常、人は、左右の手の親指とその他の４本の指を使って物体を保持するため、このような状況によって操作が不便になる。
【０００４】
つまり、電子装置を保持している間、ユーザーの指（特に親指）はタッチディスプレイパネル上の機能選択に触れやすいため、それによって、電子装置が不必要な制御指令を実行してしまうのである。
【課題を解決するための手段】
【０００５】
本発明は、パネルタッチ制御ユニットを用いて、タッチ信号に対応する制御指令を実行するかどうかを決定する電子装置を提供する。これによって、ユーザーが電子装置を保持している時に、電子装置の表示領域が手で遮られないようにすることができる。
【０００６】
本発明は、タッチ信号の持続時間またはユーザーによって押圧されたタッチディスプレイパネルの接触面積に基づいて、タッチ信号に対応する制御指令を実行するかどうかを決定する電子装置の操作方法を提供する。これによって、電子装置は、制御指令を選択的に実行することができる。
【０００７】
本発明は、タッチディスプレイパネルと、パネルタッチ制御ユニットと、画像調整ユニットとを含む電子装置を提供する。タッチディスプレイパネルは、サイズが異なる内容表示領域およびタッチメニュー領域を有する。パネルタッチ制御ユニットは、タッチディスプレイパネルに接続される。パネルタッチ制御ユニットは、受信した第１タッチ信号に基づいて第１調整信号を生成し、タッチディスプレイパネル上のタッチメニュー領域のサイズを調整する。画像調整ユニットは、タッチディスプレイパネルのパネルタッチ制御ユニットによって生成された第１調整信号に基づいて、内容表示領域のサイズを調整する。
【０００８】
本発明のある実施形態中、タッチディスプレイパネルは、マルチタッチディスプレイパネルである。
【０００９】
本発明のある実施形態中、パネルタッチ制御ユニットは、受信した第２タッチ信号に基づいて第２調整信号を生成し、タッチディスプレイパネルの第２調整信号に基づいて、タッチメニュー領域のサイズを調整する。画像調整ユニットは、タッチディスプレイパネルの第２調整信号に基づいて、内容表示領域のサイズを調整する。
【００１０】
本発明のある実施形態中、パネルタッチ制御ユニットが第１タッチ信号と第２タッチ信号の両方を受信した時、パネルタッチ制御ユニットは、タッチディスプレイパネルの第１調整信号と第２調整信号に基づいて、タッチメニュー領域のサイズを調整し、画像調整ユニットは、タッチディスプレイパネルの第１調整信号と第２調整信号に基づいて、内容表示領域のサイズを調整する。
【００１１】
本発明のある実施形態中、第１調整信号と第２調整信号に基づいて調整された内容表示領域のサイズは、第１調整信号に基づいて調整された内容表示領域のサイズと第２調整信号に基づいて調整された内容表示領域のサイズの間の重複する領域または部分的に重複する領域である。
【００１２】
本発明のある実施形態中、第１調整信号と第２調整信号に基づいて調整されたタッチメニュー領域のサイズは、第１調整信号に基づいて調整されたタッチメニュー領域のサイズと第２調整信号に基づいて調整されたタッチメニュー領域のサイズの間の重複する領域または部分的に重複する領域である。
【００１３】
本発明のある実施形態中、タッチディスプレイパネルは、表示ユニットと、タッチユニットとを含む。表示ユニットは、画像を表示し、タッチユニットは、タッチ信号を生成する。
【００１４】
本発明のある実施形態中、パネルタッチ制御ユニットは、タッチ信号に基づいて、タッチメニュー領域のサイズを調整するパネルタッチ制御装置を含み、第１調整信号は、タッチ信号の情報を含む。
【００１５】
本発明のある実施形態中、パネルタッチ制御ユニットは、さらに、タッチ信号の持続時間を計算するタイマーを含み、タッチ信号の持続時間が所定値よりも大きい時、パネルタッチ制御ユニットは、調整信号を送信し、タッチ信号の持続時間が所定値よりも小さい時、パネルタッチ制御ユニットは、タッチ信号に対応する制御指令を実行する。
【００１６】
本発明のある実施形態中、パネルタッチ制御ユニットは、さらに、タッチメニュー領域にタッチ信号によって生成された接触面積を計算する面積計算モジュールを含み、接触面積が所定値よりも大きい時、パネルタッチ制御ユニットは、調整信号を送信し、接触面積が所定値よりも小さい時、パネルタッチ制御ユニットは、タッチ信号に対応する制御指令を実行する。
【００１７】
本発明のある実施形態中、画像調整ユニットは、直交座標を用いて、タッチ信号からタッチディスプレイパネルまでの第１距離、第２距離、第３距離および第４距離を計算し、第１距離、第２距離、第３距離および第４距離のうち比較的大きな２つの距離を第１変動および第２変動に設定して、第１変動と第２変動を用いて、内容表示領域のサイズを調整する。
【００１８】
本発明のある実施形態中、画像調整ユニットは、プロセッサと、ディスプレイカードとを含む。
【００１９】
本発明のある実施形態中、パネルタッチ制御ユニットは、さらに、保存ユニットを含む。
【００２０】
本発明のある実施形態中、電子装置は、さらに、ロックキーと、入力制御装置とを含む。ロックキーが押圧された時、ロックキーは、入力信号を生成する。入力制御装置は、ロックキーおよび画像調整ユニットに電気接続される。入力制御装置は、入力信号に基づいてロッキング信号を生成し、画像調整ユニットは、ロッキング信号に基づいて内容表示領域の範囲をロックする。
【００２１】
本発明のある実施形態中、パネルタッチ制御ユニットおよび画像調整ユニットは、さらに、内容表示領域内にドラッグリスト（drag list）を生成する。
【００２２】
本発明のある実施形態中、内容表示領域とタッチメニュー領域は、互いに重複しない、または、部分的に重複する。
【００２３】
本発明のある実施形態中、タッチメニュー領域と内容表示領域の間の重複する部分にある内容表示領域のデータは、透明または半透明のパターンを表示する。
【００２４】
本発明のある実施形態中、タッチメニュー領域と内容表示領域の間の重複する部分および重複しない部分に生成されたタッチメニュー領域のタッチ信号は、同時に処理される。
【００２５】
本発明のある実施形態中、画像調整ユニットは、さらに、内容表示領域とタッチメニュー領域の間の重複しない領域に制御メニューを表示し、制御メニューは、タッチメニュー領域内に配置される。
【００２６】
本発明のある実施形態中、制御メニューは、複数のキーまたはドラッグリストを含む。
【００２７】
本発明のある実施形態中、制御メニューは、透明または半透明のパターンを表示する。
【００２８】
本発明のある実施形態中、内容表示領域およびタッチメニュー領域は、調整信号を同時に処理する。
【００２９】
本発明のある実施形態中、内容表示領域は、データ表示領域の可視領域であり、タッチメニュー領域は、タッチされた時に電子装置を制御するタッチディスプレイパネル上の領域である。
【００３０】
本発明のある実施形態中、調整された内容表示領域の解析度は、変化する、または、変化しない。本発明のある実施形態中、内容表示領域の解析度が変化しなかった時、電子装置の内容表示領域の位置が変化する。
【００３１】
本発明は、電子装置の操作方法を提供する。電子装置は、タッチディスプレイパネルを有し、調整可能な内容表示領域と、調整可能なタッチメニュー領域とを含む。操作方法は、下記のステップを含む。タッチ動作によってタッチ信号を生成する。タッチ信号を受信し、パネルタッチ制御ユニットを用いて、タッチ信号に基づいて調整信号を生成して画像調整ユニットに送信する。画像調整ユニットを用いて、調整信号に基づいて内容表示領域のサイズを調整し、パネルタッチ制御ユニットを用いて、調整信号に基づいてタッチメニュー領域のサイズを調整する。
【発明の効果】
【００３２】
以上のように、本発明は、タッチ信号の持続時間またはユーザーが押圧したタッチディスプレイパネルの接触面積に基づいて、タッチ信号に対応する制御指令を実行するかどうかを決定する。また、タッチ信号に対応する制御指令が実行されなかった時、タッチ信号の座標に基づいて、さらに、複数の調整パラメータを生成し、タッチディスプレイパネルの内容表示領域およびタッチメニュー領域の範囲を調整する。そのため、電子装置は、タッチ信号に対応する制御指令を選択的に実行することができる。つまり、ユーザーがタッチディスプレイパネルで機能選択を動かしていない時、電子装置は、制御指令を実行せず、タッチディスプレイパネルの内容表示領域およびタッチメニュー領域の範囲を調整する。
【図面の簡単な説明】
【００３３】
【図１】本発明の実施形態に係る電子装置のブロック図である。
【図２Ａ】本発明の実施形態に係る電子装置の操作方法フローチャートである。
【図２Ｂ】本発明の実施形態に係る電子装置の操作方法フローチャートである。
【図３】図２ＢのステップＳ２３０の詳細なステップフローチャートである。
【図４】ユーザーが電子装置を保持している状態を示した図である。
【図５】ユーザーが電子装置を保持している状態を示した図である。
【図６】電子装置の表示領域の変化を示した図である。
【図７】電子装置の表示領域の変化を示した図である。
【図８】電子装置の表示領域の変化を示した図である。
【図９】電子装置の表示領域の変化を示した別の図である。
【図１０】電子装置の表示領域の変化を示したさらに別の図である。
【図１１】電子装置の内容表示領域の変化を示した別の図である。
【図１２】本発明の別の実施形態に係る電子装置のブロック図である。
【図１３】本発明の別の実施形態に係る電子装置の操作方法のフローチャートである。
【発明を実施するための形態】
【００３４】
本発明の上記及び他の目的、特徴、および利点をより分かり易くするため、図面と併せた幾つかの実施形態を以下に説明する。
【００３５】
以下、本発明の好ましい実施形態を添付の図面を参照して、さらに詳細に説明する。各図面および関連説明において、同一または類似する構成要素には、同一の参照番号を使用する。
【００３６】
図１は、本発明の実施形態に係る電子装置のブロック図である。図１を参照すると、電子装置１００は、タッチディスプレイパネル１１０と、パネルタッチ制御ユニット１２０と、画像調整ユニット１３０とを含む。タッチディスプレイパネル１１０は、マルチタッチディスプレイパネルである。パネルタッチ制御ユニット１２０は、タッチディスプレイパネル１１０に電気接続される。画像調整ユニット１３０は、タッチディスプレイパネル１１０に電気接続される。
【００３７】
操作中、タッチディスプレイパネル１１０は、サイズが異なる内容表示領域およびタッチメニュー領域を有する。内容表示領域は、データ表示領域の可視領域であり、タッチメニュー領域は、タッチされた時に電子装置１００を制御するタッチディスプレイパネル１１０上の領域である。パネルタッチ制御ユニット１２０は、タッチディスプレイパネル１１０に接続され、受信したタッチ信号に基づいて、タッチメニュー領域のサイズを調整する。タッチディスプレイパネル１１０は、オブジェクトに接触した時に押圧され、押圧された接触領域に基づいて、タッチ信号を生成する。オブジェクトは、ユーザーの手であってもよく、タッチ信号は、接触領域の座標を含む。画像調整ユニット１３０は、パネルタッチ制御ユニット１２０によって生成された調整信号に基づいて、内容表示領域のサイズを調整する。
【００３８】
電子装置１００を使用する時、ユーザーは、通常、左右の手で電子装置１００を保持する。ユーザーは、タッチディスプレイパネル１１０の上に親指を長時間放置することがある。その結果、電子装置１００が不必要な制御指令を実行したり、あるいはタッチディスプレイパネル１１０の内容表示領域が遮られたりする可能性がある。このような状況を避けるため、パネルタッチ制御ユニット１２０は、タッチ信号の状態値と第１所定値の間の比較結果に基づいて、調整信号を送信し、画像調整ユニット１３０およびパネルタッチ制御ユニット１２０が内容表示領域およびタッチメニュー領域のサイズを調整するかどうかを決定する。タッチ信号の状態値は、タッチ信号の持続時間または接触面積であってもよい。
【００３９】
パネルタッチ制御ユニット１２０が調整信号を送信した時、システムは、タッチ信号に対応する制御指令を実行しない。そのため、ユーザーがタッチディスプレイパネル１１０を長時間押圧した時や、タッチディスプレイパネル１１０の接触面積が大きすぎる時は、ユーザーがタッチディスプレイパネル１１０の機能選択を動かしていないものと判断する。したがって、電子装置１００内のプロセッサ１３２は、タッチ信号に対応する制御指令を実行せず、画像調整ユニット１３０およびパネルタッチ制御ユニット１２０を用いて、内容表示領域およびタッチメニュー領域のサイズを同時に調整する。内容表示領域およびタッチメニュー領域のサイズの調整は、内容表示領域およびタッチメニュー領域の大きさまたは位置を調整することを含む。パネルタッチ制御ユニット１２０は、第１保存ユニット１２４を含み、第１保存ユニット１２４は、パネルタッチ制御装置１２２に接続され、第１所定値を保存する。第１保存ユニット１２４は、フラッシュメモリであってもよい。
【００４０】
パネルタッチ制御ユニット１２０が調整信号を生成して送信した後、画像調整ユニット１３０は、タッチ信号の座標に基づいて、複数の調整パラメータを生成する。また、画像調整ユニット１３０は、複数の調整パラメータに基づいて、タッチディスプレイパネル１１０の内容表示領域のサイズを調整する。製品の設計が異なる場合、画像調整ユニット１３０が内容表示領域のサイズを調整する時に、パネルタッチ制御ユニットは、同時に、調整パラメータを用いて、タッチメニュー領域のサイズを調整してもよい。つまり、ユーザーがタッチディスプレイパネル１１０上の機能選択を動かしていないとパネルタッチ制御ユニット１２０が判断した時、画像調整ユニット１３０は、調整信号を受信して、タッチディスプレイパネル１１０の内容表示領域のサイズを調整し、パネルタッチ制御ユニット１２０は、同時に、調整された内容表示領域の調整パラメータに基づいて、タッチメニュー領域を調整する。そのため、画像を閲覧している間に、ユーザーが電子装置１００を保持しやすいようにタッチディスプレイパネル１１０に指を置いても、電子装置１００は、閲覧中の画像から移動しない。その代わりに、電子装置１００は、内容表示領域のサイズを対応して調整する。
【００４１】
タッチ信号がしばらくの間消失すると、画像調整ユニット１３０は、タッチディスプレイパネル１１０の内容表示領域を元のサイズに戻す。タッチ信号が変化した時、タッチディスプレイパネル１１０の内容表示領域およびタッチメニュー領域は、新しいタッチ信号に基づいて変化する。内容表示領域およびタッチメニュー領域が調整された時、内容表示領域およびタッチメニュー領域は、部分的に重複してもよく、または、互いに重複しなくてもよい。画像調整ユニット１３０は、タッチメニュー領域の内容表示領域と重複しない部分に制御メニューを表示するため、ユーザーは、内容表示領域の内容を制御することができる。制御メニューは、ドラッグリストまたは複数のキーであってもよく、制御メニューは、透明または半透明の状態パターンを表示することができる。
【００４２】
タッチメニュー領域と内容表示領域の間の重複する部分にある内容表示領域のデータは、透明または半透明のパターンを表示するため、内容表示領域の閲覧がより面白くなる。透明または半透明のパターンのデータは、内容表示領域内の仮想キーであってもよい。タッチディスプレイパネル１１０は、マルチタッチディスプレイパネルであるため、タッチメニュー領域と内容表示領域の間の重複する部分および重複しない部分に生成されたタッチメニューのタッチ信号を同時に処理することができる。製品の設計が異なる場合、パネルタッチ制御ユニットが調整信号を送信して、画像調整ユニットが調整信号を受信した時、パネルタッチユニットおよび画像調整ユニットは、調整信号を同時に処理して、タッチメニュー領域および内容表示領域のサイズを調整する。
【００４３】
図２Ａは、本発明の実施形態に係る電子装置の操作方法のフローチャートである。図２Ａを参照すると、まず、タッチディスプレイパネルが、タッチ信号を生成する（ステップＳ２０）。タッチディスプレイパネルは、サイズが異なり、且つ調整可能な内容表示領域およびタッチメニュー領域を有し、タッチ信号は、タッチ動作によって生成される。それから、パネルタッチ制御ユニットがタッチ信号を受信して、タッチ信号に基づいて、調整信号を生成および送信する（ステップＳ２２）。最後に、画像調整ユニットが、調整信号に基づいて内容表示領域のサイズを調整し、パネルタッチ制御ユニットが、調整信号に基づいてタッチメニュー領域のサイズを調整する（ステップＳ２４）。本分野において通常の知識を有する者が本実施形態をさらに理解できるよう、図１および図２Ｂを参照して、電子装置１００の各構成要素についてさらに説明する。図２Ｂは、本発明の実施形態に係る電子装置の操作方法のフローチャートである。
【００４４】
電子装置１００の構成要素に関し、タッチディスプレイパネル１１０は、表示ユニット１１１と、タッチユニット１１２とを含む。パネルタッチ制御ユニット１２０は、タイマー１２１と、パネルタッチ制御装置１２２とを含む。画像調整ユニット１３０は、プロセッサ１３２と、ディスプレイカード１３３とを含む。パネルタッチ制御装置１２２は、タッチディスプレイパネル１１０、タイマー１２１および画像調整ユニット１３０内のプロセッサ１３２に接続される。プロセッサ１３２は、パネルタッチ制御装置１２２およびディスプレイカード１３３に接続される。ディスプレイカード１３３は、タッチディスプレイパネル１１０に接続される。
【００４５】
操作中、表示ユニット１１１は、内容表示領域を介して画像を表示し、タッチユニット１２２は、オブジェクトによって押圧された接触領域を検出し、接触領域に基づいてタッチ信号を生成する。ステップＳ２１０において、ユーザーが指でタッチディスプレイパネル１１０を押圧した時、タッチユニット１１２は、押圧された接触領域を検出し、それに基づいてタッチ信号を生成する。ステップＳ２２０において、タッチディスプレイパネル１１０は、パネルタッチ制御ユニット１２０にタッチ信号を送信し、パネルタッチ制御ユニット１２０は、タッチ信号の状態値と第１所定値の比較結果に基づいて、調整信号を送信するかどうかを決定する。タッチ信号の状態値は、タッチ信号の持続時間であってもよい。
【００４６】
ステップＳ２２０は、さらに、以下のステップを含む。ステップＳ２２１において、パネルタッチ制御装置１２２は、タッチディスプレイパネル１１０から受信したタッチ信号に基づいて、タイマー１２１を起動させる。ステップＳ２２２において、タイマー１２１は、タッチ信号に基づいて始動し、タッチ信号の持続時間を生成する。タッチ信号の持続時間は、接触領域が押圧され続けている間の時間である。
【００４７】
その後、ステップＳ２２３において、パネルタッチ制御装置１２２は、タッチ信号の持続時間が第１所定値よりも大きいかどうかを判断する。持続時間が第１所定値よりも小さい場合（すなわち、ユーザーがタッチディスプレイパネルの機能選択を動かしている時）、ステップＳ２２４を実行し、パネルタッチ制御装置１２２がタッチ信号をプロセッサ１３２に送信して、タッチ信号に対応する制御指令を実行する。また、持続時間が第１所定値よりも大きい場合（すなわち、ユーザーがタッチディスプレイパネルの機能選択を動かしていない時）、ステップＳ２２５を実行し、パネルタッチ制御装置１２２が調整信号を送信する。
【００４８】
また、画像調整ユニット１３０が調整信号を受信した時、ステップＳ２３０において、画像調整ユニット１３０は、接触領域の座標に基づいて、複数の調整パラメータを生成する。図３は、図２ＢのステップＳ２３０の詳細なステップフローチャートである。以下に、図１および図３を参照して、ステップＳ２３０の詳細について説明する。ステップ３１０において、タッチディスプレイパネルは、タッチ動作によって、タッチ信号を生成する。ステップＳ３１０において、パネルタッチ制御ユニット１２０は、タッチ信号を受信して、調整信号を生成および送信し、画像調整ユニット１３０が調整信号を受信した時、画像調整ユニット１３０は、タッチ信号の座標に基づいて計算する。調整信号は、タッチ信号の情報を含む。画像調整ユニット１３０がタッチディスプレイパネルの内容表示領域のサイズを調整すると同時に、パネルタッチ制御ユニット１２０は、タッチディスプレイパネルの調整信号を用いて、タッチメニュー領域のサイズを調整する。
【００４９】
図４および図５は、それぞれユーザーが電子装置を保持している状態を示した図である。図４に示すように、電子装置１００を保持している間、ユーザーは、左右の手の４本の指で電子装置１００を支え、親指をタッチディスプレイパネル１１０の両側に置くことができる。この場合、ユーザーの指は、タッチディスプレイパネル１１０を押圧しないため、タッチディスプレイパネル１１０の内容表示領域４００およびタッチメニュー領域が最大のサイズに拡張され、全スクリーン表示になる。また、図５に示すように、電子装置１００を保持している間、ユーザーが左右の手の４本の指で電子装置１００を支え、左手の親指でタッチディスプレイパネル１１０を押圧した場合、接触領域５００が形成されて、タッチ信号が生成される。また、ユーザーが接触領域５００の上を長時間押圧すると、パネルタッチ制御ユニット１２０は、調整信号を送信する。
【００５０】
タッチ信号の座標に関し、ステップＳ３２０において、プロセッサ１３２は、直交座標に基づいて、座標からタッチディスプレイパネル１１０のフレームまでの第１距離、第２距離、第３距離および第４距離を計算する。例えば、図５に示すように、プロセッサ１３２は、Ｘ軸に平行な方向に沿って、接触領域５００の座標からタッチディスプレイパネル１１０のフレームまでの距離Ｄ５１およびＤ５２を計算する。また、プロセッサ１３２は、さらに、Ｙ軸に平行な方向に沿って、接触領域５００の座標からタッチディスプレイパネル１１０のフレームまでの距離Ｄ５３およびＤ５４を計算する。つまり、プロセッサ１３２は、接触領域５００の座標に関する４つの距離Ｄ５１〜Ｄ５４を得ることができる。
【００５１】
４つの距離に関し、ステップＳ３３０において、プロセッサ１３２は、４つの距離のうち比較的大きな２つの距離を第１変動と第２変動に設定する。また、ステップＳ３４０において、ディスプレイカード１３３は、第１変動と第２変動に基づいて、複数の調整パラメータを生成する。例えば、図５に示すように、距離Ｄ５２とＤ５４は、４つの距離Ｄ５１〜Ｄ５４の中で比較的大きな２つの距離であるため、プロセッサ１３２は、距離Ｄ５２とＤ５４をそれぞれ第１変動と第２変動に設定する。また、ディスプレイカード１３３は、第１変動Ｄ５２と第２変動Ｄ５４に基づいて、複数の調整パラメータを生成する。
【００５２】
製品の設計が異なる場合、タイマー１２１が計時および起動の機能を備えている時、押圧時間が第１所定値を超過している状態で、タイマー１２１は、パネルタッチ制御装置１２２に調整信号を送信することができる。パネルタッチ制御装置１２２は、それから、プロセッサ１３２に代わって、直交座標を参照して、接触領域５００の座標からタッチディスプレイパネル１１０のフレームまでの第１、第２、第３および第４距離を計算し、４つの距離の中から第１変動と第２変動を設定し、プロセッサ１３２を介して、第１変動と第２変動をディスプレイカード１３３に送信することができる。
【００５３】
図１および図２Ｂを参照すると、ステップＳ２４０において、タッチディスプレイパネル１１０は、画像調整ユニット１３０によって生成された調整パラメータに基づいて、内容表示領域のサイズを調整し、内容表示領域に画像を継続して表示する。同時に、パネルタッチ制御ユニット１２０は、調整信号または調整パラメータに基づいて、タッチメニュー領域のサイズを調整する。ステップＳ２５０において、タッチディスプレイパネルの内容表示領域が調整された後、画像調整ユニット１３０は、調整信号を受信したかどうかを継続して検出する。
【００５４】
調整信号が消失した時や、調整信号の消失時間が第２所定値を超過した時、画像調整ユニット１３０は、タッチディスプレイパネル１１０の内容表示領域を元の状態に戻す。元の状態は、元のサイズおよび元の位置を含み、第２所定値は、時間所定値である。画像調整ユニット１３０が新しいタッチ信号を受信し、タッチ信号が新しい座標を含み、且つタッチ信号の状態値が第１所定値よりも大きい時、画像調整ユニット１３０は、新しいタッチ信号に基づいて、タッチディスプレイパネルの内容表示領域を調整する。画像調整ユニット１３０が調整信号を受信したかどうかを継続的に検出している時、パネルタッチ制御ユニット１２０も調整信号を生成したかどうかを継続的に検出する。調整信号が生成された時、パネルタッチ制御ユニット１２０は、調整信号または調整パラメータに基づいて、内容表示領域の調整とともに、タッチメニュー領域のサイズを調整する。
【００５５】
図６〜図８は、それぞれ電子装置の内容表示領域およびタッチメニュー領域の変化を示した図である。図６に示すように、ある実施形態において、タッチディスプレイパネル１１０は、調整パラメータに基づいて、内容表示領域４００の左側を内側にシフトさせ、実際の要求に基づいて内容表示領域の解析度を変更する。また、調整された内容表示領域４００の長さは距離Ｄ５２と等しく、幅は変化しない。
【００５６】
また、図７に示すように、別の実施形態において、タッチディスプレイパネル１１０は、調整パラメータに基づいて、内容表示領域４００の左側を内側にシフトさせる。調整された内容表示領域４００の長さは距離Ｄ５２と等しく、幅は距離Ｄ５４と等しい。さらに、図８に示すように、別の実施形態において、タッチディスプレイパネル１１０は、調整パラメータに基づいて、内容表示領域４００の左側、上側および下側を内側にシフトさせる。調整された内容表示領域４００の長さは距離Ｄ５２と等しく、幅は距離Ｄ５４よりも小さい。
【００５７】
製品の設計が異なる場合、第１変動と第２変動が画像調整ユニット１３０によって生成された時、第１変動と第２変動をパネルタッチ制御ユニット１２０に返送することによって、タッチディスプレイパネル１１０のタッチメニュー領域を調整する。第１変動および第２変動は、調整信号に基づいて、パネルタッチ制御ユニット１２０によって生成されてもよく、それから、画像調整ユニット１３０に送信し、処理してもよい。ユーザーの要求が異なる場合、パネルタッチ制御ユニット１２０は、タッチディスプレイパネル１１０上のタッチメニュー領域を制御して、内容表示領域４００とともに、タッチメニュー領域を縮小または拡大してもよい。製品の要求が異なる場合、調整された内容表示領域および調整されたタッチメニュー領域は、サイズが異なってもよいため、内容表示領域およびタッチメニュー領域は、互いに重複してもよく、または、部分的に重複してもよい。内容表示領域が調整された時、内容表示領域の解析度は、ユーザーの要求によって調整されてもよく、または、調整されなくてもよい。内容表示領域の解析度が調整されなかった時、電子装置の内容表示領域の位置が調整される。  
【００５８】
再度図１および図２Ｂを参照されたい。電子装置１００は、調整された内容表示領域にドラッグリストを表示して、ユーザーの画像の閲覧を補助する。図９は、電子装置の内容表示領域の変化を示した別の図である。図９に示すように、内容表示領域４００の左側が内側にシフトしても、内容表示領域の解析度は調整されない。そのため、ドラッグリスト９００が内容表示領域４００に表示され、ユーザーは、調整された内容表示領域に最初に表示されなかった指令または内容を閲覧し、選択することができる。
【００５９】
また、画像調整ユニット１３０は、内容表示領域と重複しないタッチメニュー領域に制御メニューを表示して、ユーザーが内容表示領域の内容を制御できるようにすることができる。制御メニューは、ドラッグリストまたは複数のキーであってもよく、制御メニューは、透明または半透明のパターンを表示する。図１０は、電子装置の内容表示領域の変化を示したさらに別の図である。図１０に示すように、内容表示領域４００の左側、上側および下側が内側にシフトするにつれ、パネルタッチ制御ユニット１２０は、さらに、調整パラメータに基づいて、タッチディスプレイパネル１１０の底部およびタッチメニュー領域と内容表示領域の間の重複しない領域に、制御メニューを表示する。ここで、複数のキー１０１〜１０３は、タッチメニュー領域およびタッチメニュー領域と内容表示領域が重複しない領域に表示され、電子装置１００の内容表示領域内でユーザーの操作を補助する。
【００６０】
図１１は、電子装置の内容表示領域の変化を示したさらに別の図である。図１１に示すように、ユーザーが左右の親指でタッチディスプレイパネル１１０の上を押圧して、第１接触領域および第２接触領域を生成した時、パネルタッチ制御ユニット１２０は、まず、第１タッチ信号を受信して、それから、第２タッチ信号を受信する。第１タッチ信号は、ユーザーの左（右）手がタッチディスプレイパネル１１０に触れた時に生成されたタッチ信号であり、第２タッチ信号は、ユーザーの右（左）手がタッチディスプレイパネル１１０に触れた時に生成されたタッチ信号である。第１接触領域は、第１タッチ信号の座標を含み、第２接触領域は、第２タッチ信号の座標を含む。
【００６１】
パネルタッチ制御ユニット１２０は、第１タッチ信号を受信した後、第１調整信号を生成する。パネルタッチ制御ユニット１２０は、第１調整信号に基づいて、タッチメニュー領域のサイズを調整し、第１タッチメニュー領域を得る。画像調整ユニット１３０は、第１調整信号に基づいて、内容表示領域のサイズを調整し、第１内容表示領域を得る。パネルタッチ制御ユニット１２０は、第２タッチ信号を受信した時、第２タッチ信号に基づいて第２調整信号を生成する。パネルタッチ制御ユニット１２０は、第２調整信号に基づいてタッチメニュー領域のサイズを調整し、第２タッチメニュー領域を得る。画像調整ユニット１３０は、第２調整信号に基づいて内容表示領域のサイズを調整し、第２内容表示領域を得る。
【００６２】
パネルタッチ制御ユニット１２０が第１タッチ信号と第２タッチ信号を同時に受信した時、パネルタッチ制御ユニット１２０は、第１調整信号と第２調整信号の両方に基づいてタッチメニュー領域のサイズを調整し、第３タッチメニュー領域を得る。画像調整ユニット１３０は、第１調整信号と第２調整信号の両方に基づいて内容表示領域のサイズを調整し、第３内容表示領域を得る。第３タッチメニュー領域は、第１タッチメニュー領域と第２タッチメニュー領域が重複する領域または部分的に重複する領域であってもよく、第３内容表示領域は、第１内容表示領域と第２内容表示領域が重複する領域または部分的に重複する領域であってもよい。
【００６３】
図１１に示すように、ユーザーが左右の親指でタッチディスプレイパネル１１０の上を押圧した時、内容表示領域４００の左側と右側の両方が内側にシフトする。また、図１１に示すように、内容表示領域４００の上側と下側も内側にシフトする。しかしながら、内容表示領域４００を設定する時、電子装置１００は、ユーザーの要求に基づいて、内容表示領域４００の上側と下側を選択的に調整してもよい。タッチ信号が消失した時、タッチメニュー領域および内容表示領域は、依然として受信しているタッチ信号に基づいてパネルタッチ制御ユニット１２０によって生成されたタッチ信号に基づいて、調整される。
【００６４】
また、電子装置１００は、さらに、第２保存ユニット１４０と、ロックキー１５０と、入力制御装置１６０とを含む。第２保存ユニット１４０は、プロセッサ１３２に電気接続され、プロセッサ１３２と協同して、対応するデータ保存操作を実行する。第２保存ユニット１４０は、ハードディスクまたはフラッシュメモリであってもよい。入力制御装置１６０は、ロックキー１５０および画像調整ユニット１３０内のプロセッサ１３２に電気接続される。ロックキー１５０は、物理キーまたは仮想キーであってもよい。
【００６５】
操作中、ロックキー１５０が押圧された時、ロックキー１５０は、入力信号を生成し、入力制御装置１６０は、入力信号に基づいて、ロッキング信号を生成する。画像調整ユニット１３０は、ロッキング信号に基づいて、調整パラメータをラッチし、内容表示領域の範囲をロックする。つまり、内容表示領域が最適範囲に達したとユーザーが判断した時、ユーザーは、ロックキー１５０を押圧することによって内容表示領域をロックできるため、ユーザーが電子装置１００の持ち方を変えても、内容表示領域の範囲は変化しない。
【００６６】
言及すべきこととして、持ち方が原因で、ユーザーがタッチディスプレイパネル１１０を誤って触れてしまった時、そこに生成される接触領域は、ユーザーがタッチディスプレイパネル１１０をクリックした時に生成される接触領域よりも大きくなる。つまり、ユーザーがタッチディスプレイパネル１１０を誤って触れたかどうかは、ユーザーによって押圧された接触領域の大きさに基づいて決定される。
【００６７】
図１２は、発明の別の実施形態に係る電子装置のブロック図である。図１２の実施形態と図１の実施形態の主な相違点は、図１の実施形態において、電子装置１００は、タッチ信号の持続時間に基づいてタッチ信号に対応する制御指令を実行するかどうかを決定するが、図１２の実施形態では、電子装置１２００は、接触領域の大きさに基づいてタッチ信号に対応する制御指令を実行するかどうかを決定する。そのため、図１２の実施形態のパネルタッチ制御ユニット１２０’は、図１の実施形態のパネルタッチ制御ユニット１２０と異なる。
【００６８】
詳しく説明すると、図１２の実施形態において、パネルタッチ制御ユニット１２０’は、面積計算モジュール１２０１と、パネルタッチ制御装置１２０２とを含む。操作中、面積計算モジュール１２０１は、接触領域の大きさを検出および計算して、接触面積値を生成する。また、パネルタッチ制御装置１２０２は、接触面積値が第３所定値よりも大きいかどうかを決定する。接触面積値が第３所定値よりも大きい時（すなわち、ユーザーがタッチディスプレイパネルで機能選択を動かしていない時）、パネルタッチ制御装置１２０２は、調整信号を送信する。反対に、接触面積値が第３所定値よりも小さい時、パネルタッチ制御装置１２０２は、タッチ信号に対応する制御指令を実行する。図１２の実施形態のその他の構成要素の操作については、上述した各実施形態中で説明しているため、ここでは説明を省略する。
【００６９】
図１３は、本発明の別の実施形態に係る電子装置の操作方法のフローチャートである。図１３の実施形態と図２Ｂの実施形態の主な相違点は、図２Ｂの実施形態のステップＳ２２０において、タッチ信号に対応する制御指令を実行するかどうかは、タッチ信号の持続時間に基づいて決定されるが、図１３の実施形態のステップＳ２２０’では、タッチ信号に対応する制御指令を実行するかどうかは、接触領域のサイズに基づいて決定される。
【００７０】
詳しく説明すると、図１３の実施形態のステップＳ２２０’は、さらに、以下のステップを含む。まず、ステップＳ１３０１において、まず、ユーザーがタッチディスプレイパネルを押圧した時に生成された接触領域を検出して、接触面積値を生成する。その後、ステップＳ１３０２において、接触面積値が第３所定値よりも大きいかどうかを決定する。接触面積値が第３所定値よりも大きい時（すなわち、ユーザーがタッチディスプレイパネルで機能選択を動かしていない時）、ステップＳ１３０４を実行し、パネルタッチ制御ユニット１２０が調整信号を送信する。反対に、接触面積値が第３所定値よりも小さい時は、ステップＳ１３０３を実行して、タッチ信号に対応する制御指令を実行する。図１３の実施形態のその他のステップについては、上述した各実施形態中で説明しているため、ここでは説明を省略する。
【００７１】
以上のように、本発明は、タッチ信号の持続時間またはユーザーがタッチディスプレイパネルを押圧した接触領域の大きさに基づいて、パネルタッチ制御ユニットが調整信号を送信するかどうかを決定する。また、本発明は、パネルタッチ制御ユニットが調整信号を送信した時、タッチ信号の座標に基づいて、内容表示領域およびタッチメニュー領域の範囲が調整される。そのため、ユーザーがタッチディスプレイパネルで機能選択を動かしていない時、電子装置は制御指令を実行せず、その代わりに、タッチディスプレイパネルの内容表示領域およびタッチメニュー領域の範囲を調整する。このようにして、画像を閲覧している間、ユーザーが電子装置をより快適に保持できるようタッチディスプレイパネルに指を置いても、電子装置は、閲覧中の画像から移動せずに、内容表示領域またはタッチメニュー領域の範囲を対応して調整する。
【００７２】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００７３】
１００、１２００  電子装置
１０１〜１０３  キー
１１０  タッチディスプレイパネル
１２０、１２０’  パネルタッチ制御ユニット
１３０  画像調整ユニット
１１１  表示ユニット
１１２  タッチユニット
１２１  タイマー
１２２、１２０２  パネルタッチ制御装置
１２４  第1保存ユニット
１３２  プロセッサ
１３３  ディスプレイカード
１４０  第２保存ユニット
１５０  ロックキー
１６０  入力制御装置
４００  表示エリア
５００  タッチブロック
９００  ドラッグリスト
１２０１  面積計算モジュール
Ｄ５１〜Ｄ５４  距離
【図１】
2011248899.tif 000003
【図２Ａ】
2011248899.tif 000004
【図２Ｂ】
2011248899.tif 000005
【図３】
2011248899.tif 000006
【図４】
2011248899.tif 000007
【図５】
2011248899.tif 000008
【図６】
2011248899.tif 000009
【図７】
2011248899.tif 000010
【図８】
2011248899.tif 000011
【図９】
2011248899.tif 000012
【図１０】
2011248899.tif 000013
【図１１】
2011248899.tif 000014
【図１２】
2011248899.tif 000015
【図１３】
2011248899.tif 000016
【外国語明細書】
2011248899000001.pdf